(57)【要約】      （修正有）【課題】従来から歯垢（プラーク）除去を目的として、いろいろな形の歯ブラシが使われ又考案もされているが、完全な除去は難しい。本発明は、上記した２種類の歯ブラシの形状のものを部位により使い分け、また一筆書きのように順序良く使うことにより、すみずみまで磨きやすく、確実に磨ける歯ブラシを提供する。【解決手段】一方の歯ブラシは、複数本の刷毛を束ねた毛束が、歯ブラシの軸方向に沿って２列以上３列乃至５列埋設されたヘッド部とこれに続く首部とを有し、ヘッド部の片側より反対側に向かい刷毛長を順次短くし歯面に沿いやすい角度を付ける。刷毛長は１０〜１５ミリ程度とする。そしてもう一方の歯ブラシは、前記ブラシとは反対方向に角度を付けるものとし、これら２本の歯ブラシを一組として歯の部位と表側か裏側かにより使い分ける。【選択図】図１
2008018216.tif 000002
【特許請求の範囲】
【請求項１】
歯ブラシの植毛台に植設されたブラシ毛の先端で構成される刷掃面が、片流れ屋根に類似した形状のものと、もう一つ、片流れの角度が反対の２種類のものとで一組とされる歯ブラシ。〔図１〕〔図２〕
これらを、それぞれの歯の外側（頬のある側）と内側（舌のある側）とで歯の面に沿うように使い分け、一筆書きの要領で使うことにより、歯垢（プラーク）の磨き残しが少なくなると同時に、狭い口腔内での操作性が良くなる歯ブラシ。
【請求項２】
刷毛（ブラシ）部と柄とを連結する仕組みを単純な構造とし、容易に回転させ着脱もしくは変換できるようにする歯ブラシ。
【請求項３】
この形態を利用したいわゆる電動式歯ブラシ。
【発明の詳細な説明】
【技術分野】
【０００１】    本発明は、歯ブラシに関するものであり、歯ブラシの植毛の形状に工夫を加えることによって歯の裏側、歯と歯の間、奥歯のかみ合わせ、特に歯と歯肉の境目の汚れを除去しようとしたものである。
【背景技術】
【０００２】    従来から、齲蝕・歯周疾患の最大の原因は歯垢中の細菌であるということから、歯垢（プラーク）除去を目的として、いろいろな形の歯ブラシが使われ又考案もされている。歯科疾患実態調査によると、毎日歯を磨く人の割合は９６％以上に達しているにもかかわらず、齲蝕の有病率は、乳歯で５７％、永久歯で８６％  また成人の歯肉に異常のある人の割合は７０％以上となっている。
言い換えると歯磨き効果が出ていないと言える。しかし歯の寿命を延ばし健康で過ごすためには、歯垢（プラーク）除去の大切さが一層求められている。
【発明の開示】
【発明が解決しようとする課題】
【０００３】  しかし従来から、口腔内の歯の並びは複雑で（１）歯と歯肉が接する部分（２）歯周疾患により歯肉が縮退した場合の根元の部分（３）前歯・小臼歯の裏側、（４）奥の歯の表側や裏側（５）その他などが磨くのが難しい場所とされている。
特に歯を失う原因の第一に数えられる歯周疾患から歯を守るためには、歯垢除去（プラーク・コントロール）が非常に大切なものと考えられている。そのため基本的な磨き方に
（Ｉ）バス法：歯ブラシを軽く持ち歯肉の縁に４５度の角度で当てて小刻みに振動させて歯肉の縁、歯と歯の間を磨く。これはまた歯肉のマッサージにもなる。
（ＩＩ）スクラビング法：手先を歯面に直角に当て小刻みに振動させて歯と歯の間を磨く。
という（Ｉ）（ＩＩ）の方法があるが、その目的としているところは歯周疾患に関していえば、歯肉の炎症の発症と直接関係あるプラークが歯肉と接しているところに存在しているので、歯と歯肉との境目とが接する部位に蓄積する歯垢（プラーク）が取り除ければ良いとされている。ところが（Ｉ）は、歯面への角度付けが難しく、毛先にたわみの力が加わるため、思いのほか歯と歯肉の境目に毛先が届いておらず難易度が高い方法と言える。〔図６〕。そこで歯ブラシ形状に工夫を加えることにより、歯面に沿いやすいようになり〔図５〕結果として、（Ｉ）（ＩＩ）の方法が容易になり課題を解決することが出来る。このことが最大の特徴である。  上記で述べた（２）歯周疾患により歯肉が縮退した場合の根元の部分（３）前歯・小臼歯の裏側（４）奥の歯の表側や裏側（５）その他などが磨くのが難しい場所とされているが、この歯ブラシを使うことにより、歯垢除去（プラーク・コントロール）もたやすくなる。
【課題を解決するための手段】
【０００４】  この課題を解決するための請求項１の発明は、ブラシ毛の先端で構成される刷掃面が片流れ屋根に類似した形状のものと、もう一つ、片流れの角度が反対の２種類のものとで一組とされる歯ブラシ〔図１〕〔図２〕である。これらをそれぞれの歯の外側（頬のある側）と内側（舌のある側）で歯の面に沿うように使い分けることにより、歯と歯肉の境目に歯ブラシの毛先が届きやすくなる。【０００５】    また、請求項２の発明は、植毛台を回転させることにより、一本の柄に対して請求項１の２種類の機能を発揮するものが可能となる。【０００６】  また請求項３の発明は電動式の歯ブラシ装置にも装着し使用が可能となる。
【発明の効果】
【０００７】    本発明により、歯垢（プラーク）除去の確率が高くなり、結果として今までより多くの歯が、齲蝕や歯周疾患に罹患するのが免れ抜歯されずに済む。これにより全身の健康の維持増進がはかられ、幸せがもたらされるとともに医療費の削減に寄与する。
【発明を実施するための最良の形態】
【０００８】（１）特に、歯と歯肉の境目の汚れを除去することを特徴とするこの発明は、毛先を片流れ屋根に類似した形状にすることにより歯面に沿いやすくする。〔図１〕〔図２〕２種類の歯ブラシの形状のものを部位により使い分け、また一筆書きのように順序良く使うことにより磨き忘れの場所をなくし、より隅々まで確実に磨ける歯ブラシを提供する。実際に使ってみるとわかるが、〔図１〕〔図２〕いずれか一本の歯ブラシだけではもち手の関係で、歯面にうまく沿わない現象が生じる。
まず従来の歯ブラシだとバス法を行った時に、歯面への歯ブラシの沿いが悪い〔図６〕が、本発明の歯ブラシでは歯面への沿いが良くまた歯肉溝に毛先が届きやすくなる〔図５〕。使い方も大切な要素であり、
磨く順序としてまず
（Ａ）：歯列をかみ合わせの面から見た図〔図７〕〔図８〕で前歯群・左右の臼歯群の３つに、上下顎それぞれにつきあらかじめ三つに区分するという前提で始める。
（Ｂ）：（右手に歯ブラシを持つ場合）〔図７〕のスタート地点から歯磨きをはじめ〔図１〕の形状の歯ブラシで▲１▼→▲２▼→▲３▼→▲４▼→▲５▼→▲６▼ここで〔図２〕の形状の歯ブラシに持ち替えて→▲７▼→▲８▼→▲９▼→▲１０▼→▲１１▼→▲１２▼  スタートの時点に戻る。
（Ｃ）：（左手に歯ブラシを持つ場合）〔図８〕のスタート地点から歯磨きをはじめ〔図２〕の形状の歯ブラシで▲１▼→▲２▼→▲３▼→▲４▼→▲５▼→▲６▼ここで〔図１〕の形状の歯ブラシに持ち替えて→▲７▼→▲８▼→▲９▼→▲１０▼→▲１１▼→▲１２▼  スタートの時点に戻る。
「表」→「表」→「裏」→「表」→「裏」→「裏」を２回繰り返すことになる。
前歯・小臼歯の裏側や歯間については、歯ブラシを縦てて持ち、先の部分もしくは、かかとの部分で毛先がもっと長い一列のところを使うようにして磨く。
（２）咬合面についても、同じように磨く。
（３）上顎の臼歯（奥歯）の外側は頬との関係から懐が狭く歯ブラシが入りにくい場所だが、歯ブラシを斜めに使うことにより、操作性が良くなり歯垢（プラーク）除去の効果が増す。
（４）歯肉溝の中にまで毛先が、届きやすくなる。
【産業上の利用可能性】
【０００９】  本発明に係る歯ブラシは、工業的に量産することが可能であるため、産業上の利用可能性を有する。
【図面の簡単な説明】
【００１０】
【図１】毛先を片流れ屋根に類似した形状にした歯ブラシの斜視図である。
【図２】毛先の片流れの角度が反対の形状にした歯ブラシの斜視図である。
【図３】毛先を片流れ屋根に類似した形状にした歯ブラシ断面図である。
【図４】毛先の片流れの角度が反対の形状にした歯ブラシ断面図である。
【図５】本発明の歯ブラシの歯面への沿い方を表す図。
【図６】従来からある歯ブラシの歯面への沿い方を表す図。
【図７】右手に歯ブラシを持つ場合の、歯磨きの順番と２種類の歯ブラシの使い分けを示す図。
【図８】左手に歯ブラシを持つ場合の、歯磨きの順番と２種類の歯ブラシの使い分けを示す図。
【符号の説明】
【００１１】  １  ［図１］の歯ブラシのヘッド部。
２  ［図１］の歯ブラシの軸方向に沿った一端の刷毛。
３  ［図１］の歯ブラシの軸方向に沿ったもう一端の刷毛。
４  ［図２］の歯ブラシのヘッド部。
５  ［図２］の歯ブラシの軸方向に沿った一端の刷毛。
６  ［図２］の歯ブラシの軸方向に沿ったもう一端の刷毛。
【図１】
2008018216.tif 000003
【図２】
2008018216.tif 000004
【図３】
2008018216.tif 000005
【図４】
2008018216.tif 000006
【図５】
2008018216.tif 000007
【図６】
2008018216.tif 000008
【図７】
2008018216.tif 000009
【図８】
2008018216.tif 000010